(57)【要約】【課題】パッキンの経年劣化を抑制しつつ、防水性能を高めることが可能な構造を提供すること。【解決手段】開口部２１が形成された電気電子機器収納用箱の筐体２と、開口部２１を覆うように取り付けられるユニット１と、を備え、開口部２１の周囲には筐体２とユニット１の間に内側パッキン３１と外側パッキン３２が配置されており、ユニット１に対する反発力が内側パッキン３１と外側パッキン３２で互いに異なる電気電子機器収納用箱の筐体２とユニット１間の防水構造とする。【選択図】図３
2018190878.tif 000002
【特許請求の範囲】
【請求項１】
開口部が形成された電気電子機器収納用箱の筐体と、開口部を覆うように取り付けられるユニットと、を備え、
開口部の周囲には筐体とユニットの間に内側パッキンと外側パッキンが配置されており、
ユニットに対する反発力が内側パッキンと外側パッキンで互いに異なる電気電子機器収納用箱の筐体とユニット間の防水構造。
【請求項２】
筐体とユニットを固定する固定ねじを、内側パッキン及び外側パッキンよりも内側に配置し、
ユニットに対する反発力は、内側パッキンよりも外側パッキンの方が弱い請求項１に記載の電気電子機器収納用箱の筐体とユニット間の防水構造。
【請求項３】
内側パッキンと外側パッキンとの間に空隙を設けて配置した請求項１又は２に記載の電気電子機器収納用箱の筐体とユニット間の防水構造。
【請求項４】
ユニットのベース部は、内側パッキンと当接する部位の高さ位置と、外側パッキンと当接する高さ位置が異なる請求項１に記載の電気電子機器収納用箱の筐体とユニット間の防水構造。
【発明の詳細な説明】
【技術分野】
【０００１】
本発明は、電気電子機器収納用箱の筐体とユニット間の防水構造に関するものである。
【背景技術】
【０００２】
特許文献１に記載されているように、筐体の開口部にユニットを取り付ける際、開口部の周辺にパッキンを介在させて防水を行うことが知られている。
【先行技術文献】
【特許文献】
【０００３】
【特許文献１】特開２００３−１５２３７３号公報
【０００４】
ところで、このような筐体は屋外に設置されることが多い。筐体が屋外に設置された場合、開口部周辺に備えられたパッキンは外気に曝されやすいため、経年劣化により防水性能が損なわれやすかった。
【発明の概要】
【発明が解決しようとする課題】
【０００５】
本件の発明者は、この点について鋭意検討することにより、解決を試みた。本発明の課題は、パッキンの経年劣化を抑制しつつ、防水性能を高めることが可能な構造を提供することである。
【課題を解決するための手段】
【０００６】
上記課題を解決するため開口部が形成された電気電子機器収納用箱の筐体と、開口部を覆うように取り付けられるユニットと、を備え、開口部の周囲には筐体とユニットの間に内側パッキンと外側パッキンが配置されており、ユニットに対する反発力が内側パッキンと外側パッキンで互いに異なる電気電子機器収納用箱の筐体とユニット間の防水構造とする。
【０００７】
筐体とユニットを固定する固定ねじを、内側パッキン及び外側パッキンよりも内側に配置し、ユニットに対する反発力は、内側パッキンよりも外側パッキンの方が弱い構成とすることが好ましい。
【０００８】
内側パッキンと外側パッキンとの間に空隙を設けて配置した構成とすることが好ましい。
【０００９】
ユニットのベース部は、内側パッキンと当接する部位の高さ位置と、外側パッキンと当接する高さ位置が異なる構成とすることが好ましい。
【発明の効果】
【００１０】
本発明では、パッキンの経年劣化を抑制しつつ、防水性能を高めることが可能な構造を提供することが可能となる。
【図面の簡単な説明】
【００１１】
【図１】実施形態の筐体とユニットの斜視図である。
【図２】実施形態のユニットの分解斜視図である。
【図３】ユニットを筐体に取り付けた状態を示した断面図である。
【図４】複数の部材で枠体が構成された内側パッキン及び外側パッキンの例を示した図である。
【図５】一つの部材で枠体が構成された内側パッキン及び外側パッキンの例を示した図である。ただし、各々のパッキンは繋ぎ部を備えている。
【図６】天井板とベース部間の距離を、内側パッキンが位置する部位と外側パッキンが位置する部位で異なる長さとした例を示した図である
【発明を実施するための形態】
【００１２】
以下に発明を実施するための形態を示す。図１及び図３に示されていることから理解されるように、本実施形態では、開口部２１が形成された電気電子機器収納用箱の筐体２と、開口部２１を覆うように取り付けられるユニット１とを備えている。また、開口部２１の周囲には筐体２とユニット１の間には、内側パッキン３１と、この内側パッキン３１の外周を囲うように、内側パッキン３１よりも外側に位置する外側パッキン３２が配置されている。そして、ユニット１に対する反発力が内側パッキン３１と外側パッキン３２で互いに異なるようにすることで、電気電子機器収納用箱の筐体２とユニット１間の防水構造を形成している。このため、外側パッキン３２が劣化しても、内側パッキン３１により防水性能を保つことができ、パッキンの経年劣化を抑制しつつ、防水性能を高めることが可能な構造を提供することが可能となる。
【００１３】
本実施形態のユニット１は換気扇ユニットとして説明する。本実施形態の換気扇ユニットは、換気扇１２を固定する部材でケース状に形成したベース部１３を備えている。このベース部１３には通気口１４が四方の辺に形成されている。図３に示す例においては、通気口１４にフィルタ９１を取り付けており、筐体２内の汚損を抑制している。また、四方の通気口１４を覆うように取り付けられるフード１５を備えている。このフード１５は、ベース部１３に対して着脱可能となるように構成されている。より具体的にはフード１５はベース部１３に対してねじ等を用いて固定されている。
【００１４】
ベース部１３の底部には開口１６を形成している。また換気扇１２は、この開口１６内に差し込まれるようにして取り付けられる。ベース部１３の裏面側には、筐体２に設けられた開口部２１の四辺を挟止するための押さえ板１７が備えられている。この押さえ板１７は、固定ねじ１８の締め付けにより、ベース部１３と押さえ板１７で天井板２２を挟止して固定するものである。
【００１５】
ベース部１３と天井板２２との間には内側パッキン３１と外側パッキン３２が介在している。本実施形態では、内側パッキン３１と外側パッキン３２の各々は、枠体状に形成されており、開口部２１を囲うように配置されている。なお、各々のパッキンは一連で形成するものであっても良いし、複数のパッキンを組み合わせて枠体状にするものであっても良い。複数のパッキンを組み合わせて使用する場合、図４に示すように、内外のパッキンの繋ぎ部９３をそれぞれ反対側に設けた構成とすれば、パッキンの繋ぎ部９３を少なくできるとともに、水の浸入を効果的に防止することができる。図５に示すように内側パッキン３１と外側パッキン３２が各々一つの部材で構成されていても、繋ぎ部９３を備える場合がある。この場合も内外のパッキンの繋ぎ部９３をそれぞれ反対側に設けた構成とすれば、水の浸入を効果的に防止することができる。
【００１６】
本実施形態では、筐体２とユニット１を固定する固定ねじ１８を、内側パッキン３１及び外側パッキン３２よりも内側に配置している。より具体的には、内側パッキン３１の内側に換気扇ユニットを天井板２２へ固定するために用いる固定ねじ１８を配置している。また、内側パッキン３１及び外側パッキン３２がもたらすユニット１に対する反発力は、内側パッキン３１よりも外側パッキン３２の方が弱くなるように構成されている。このため、内側パッキン３１及び外側パッキン３２には、固定ねじ１８を通すための加工が不要となり、水の浸入を効果的に防止することができる。
【００１７】
本実施形態では、外側パッキン３２は柔らかい部材で反発力が低い部材としている。また、内側パッキン３１は硬い部材で反発力が高い部材としている。反発力が高いパッキンは天井板２２とベース部１３に押し付けようとする力により防水性能を高めることができるが、天井板２２を押し付ける力も大きくなり、天井板２２が変形しようとする。しかし、このパッキンを筐体２とユニット１を固定する固定ねじ１８の近辺に配置すれば、パッキンから生じる天井板２２を押し付けようとする力を固定ねじ１８で吸収することが可能となる。そこで本実施形態では、筐体２とユニット１を固定する固定ねじ１８を、反発力が高い部材で形成した内側パッキン３１の近傍に配置している。このようにすることにより、内側パッキン３１側を反発力が高い部材で形成しても、天井板２２の変形を防止しつつ固定できる。
【００１８】
一方、固定ねじ１８から離れる外側パッキン３２は柔らかい部材で形成している。柔らかい部材で形成された外側パッキン３２は、ベース部１３の固定面や天井板２２への追従性が良いため、天井板２２または、ベース部１３と外側パッキン３２の隙間を小さくでき、防水性を高めることができる。
【００１９】
パッキンの保持方法としては、天井板２２に設けられた開口１６の周縁に孔を設け、その孔にねじを通過させて固定するものでも良いが、本実施形態では、押さえ板１７を用いることで、パッキンを面で挟止しつつ固定する固定構造である。このようにすれば、内側パッキン３１に対して比較的広範囲に荷重を均一に加えることができ、パッキンと天井板２２の間に隙間が生じることを抑制できる。なお、内側パッキン３１に均一の荷重を加える為に、反発力が高いパッキンを略全て覆うように押さえ板１７を設けることが好ましい。また、本実施形態の押さえ板１７は略コ字状としており、締め付け時に生じる押さえ板１７の変形をコ字状の腕部で防止している。勿論、外側パッキン３２を覆うように押さえ板１７を設けることにより、より効果的に防水性能を高めることが可能である。
【００２０】
パッキンはベース部１３に対して固定される。本実施形態では、ベース部１３の端部を折り曲げて形成した当接片６１がベース部１３の四方に設けられており、この当接片６１の内側の空間にパッキンを配置している。このため、当接片６１によって外側パッキン３２が外気に触れることを抑制することができる。また、押さえ板１７を締め付けて、ある程度パッキンを押し潰すと、天井板２２と当接片６１が当接する。したがって、必要以上にパッキンを押し潰すことを回避できる。なお、パッキンを押し潰し続けると弾性変形量が少なくなり、防水できなくなる恐れもあるが、当接片６１を形成することによりパッキンが過度に押し潰されることを防止できる。なお、本実施形態のパッキンは天井板２２の開口部２１周辺に貼り付けるものでも良い。
【００２１】
ところで、内側パッキン３１と外側パッキン３２は空隙９５を設けて配置することが好ましい。内側パッキン３１と外側パッキン３２は密着させて形成しても良いが、内側パッキン３１と外側パッキン３２の配置時に、互いに密着させておくと、ベース部１３から圧縮力が働いた場合、内側パッキン３１と外側パッキン３２が対向する面側には変形できず、垂直方向に力を逃がそうとする場合がある。この場合、状況によっては、その逃がした力が天井板２２やベース部１３を変形させる虞もある。そこで、本実施形態では、内側パッキン３１と外側パッキン３２の配置時に、内側パッキン３１と外側パッキン３２との間に空隙９５を設けている。このようにすると、ベース部１３から圧縮力が働いた場合でも、内側パッキン３１と外側パッキン３２の間にパッキンが変形できるスペースが生じる。したがって、天井板２２やベース部１３を変形させる力が発生することが抑制され、防水に対する信頼性を向上できる。
【００２２】
内側パッキン３１と外側パッキン３２の反発力を異ならせるには、パッキンをそれぞれ異なる材質とすることが考えられる。また、各々のパッキンが同一面上に配置されている場合、各々のパッキンとベース部１３との当接面の高さ位置を変えることにより同種類のパッキンであっても反発力を異なるものとすることもできる。この場合、ベース部１３の高さが低いほうがパッキンの反発力が高くなり、ベース部１３の高さが高いほうがパッキンの反発力が低くなる。このように、ベース部１３とパッキンとの当接高さ位置を異ならせるだけでも反発力を異ならせるようにすることができる。そこで、図６に示す例では、ユニット１のベース部１３は、内側パッキン３１と当接する部位の高さ位置と、外側パッキン３２と当接する高さ位置が異なるように構成している。なお、パッキンの圧縮率が高いと天井板２２に向けた弾性力が高くなる。
【００２３】
以上、一つの実施形態を中心に説明してきたが、本発明は上記実施形態に限定されることはなく、各種の態様とすることが可能である。例えばパッキンは繋ぎ部が無い一続きのパッキンとすることもできる。
【００２４】
また、パッキンは略四角形状とする必要は無く、開口部の形状に合わせて、略円形状などにすることも可能である。
【００２５】
また、ユニットは換気扇ユニットである必要性は無い。例えば、筐体内に搭載される電気機器の冷却を行う冷却装置や、フード部材などにすることができる。
【符号の説明】
【００２６】
１  ユニット
２  筐体
１３  ベース部
１８  固定ねじ
２１  開口部
３１  内側パッキン
３２  外側パッキン
９５  空隙
【図１】
2018190878.tif 000003
【図２】
2018190878.tif 000004
【図３】
2018190878.tif 000005
【図４】
2018190878.tif 000006
【図５】
2018190878.tif 000007
【図６】
2018190878.tif 000008